(57)【要約】【課題】外観性に優れ、かつ天候等に対する耐久性の向上が可能な手摺用笠木を提供することを目的とする。【解決手段】少なくとも屋外側表面に外壁材２が取り付けられた手摺壁１の上端に、この手摺壁１の上端を覆うようにして金属製の笠木本体１１が設けられており、この笠木本体１１の屋外側端部に、表面が前記外壁材２の表面と略面一となる補助外壁材３が取り付けられていることを特徴とする手摺用笠木１０。これにより、この笠木本体によって日射や雨水等で傷むのを効果的に防ぐことができるとともに、外壁材および補助外壁材の外観の統一感に優れる。【選択図】図１
2008231668.tif 000002
【特許請求の範囲】
【請求項１】
少なくとも屋外側表面に外壁材が取り付けられた手摺壁の上端に、この手摺壁の上端を覆うようにして金属製の笠木本体が設けられており、
この笠木本体の屋外側端部に、表面が前記外壁材の表面と略面一となる補助外壁材が取り付けられていることを特徴とする手摺用笠木。
【請求項２】
請求項１に記載の手摺用笠木において、
前記外壁材および補助外壁材は、同一材料からなることを特徴とする手摺用笠木。
【請求項３】
請求項１または２に記載の手摺用笠木において、
前記笠木本体は、この笠木本体の屋外側端部に設けられ、この笠木本体の上面に沿って屋外側に延出する延出部を備えており、この延出部の下面に、前記補助外壁材の上面が当接固定されていることを特徴とする手摺用笠木。
【請求項４】
請求項１〜３のいずれか一項に記載の手摺用笠木において、
前記笠木本体は、この笠木本体の屋外側端部に設けられ、前記手摺壁の屋外側表面に沿って垂下する垂直板部を備えており、この垂直板部の屋外側表面に、前記補助外壁材の屋内側表面が当接固定されていることを特徴とする手摺用笠木。
【請求項５】
請求項１〜４のいずれか一項に記載の手摺用笠木において、
前記笠木本体は、前記手摺壁の上端に取り付けられる第１笠木部材と、この第１笠木部材の屋外側端部に接続され、前記補助外壁材が取り付けられた第２笠木部材と、これら第１笠木部材と第２笠木部材とを接続する接続手段とを備えており、
この接続手段は、前記第１笠木部材に形成され、屋外側に向かって開口する被差込部と、前記第２笠木部材に形成され、前記被差込部に差し込まれる差込部とを備えており、
前記第１笠木部材および第２笠木部材は、前記差込部と被差込部との差込深さに応じて、これら差込部および被差込部の差込方向に沿って互いに位置調整可能となっていることを特徴とする手摺用笠木。
【発明の詳細な説明】
【技術分野】
【０００１】
本発明は、手摺壁の上端を覆うようにして設けられる手摺用笠木に関する。
【背景技術】
【０００２】
バルコニー等に立設される手摺壁やパラペット部の頂部には笠木が被せられるようにして設けられる（例えば、特許文献１参照）。
これは、例えば手摺壁やパラペット部の頂部を装飾するものであり、人が腕等を乗せ掛け、体を傾斜させて体重をかける場合等に、その荷重を受けるものでもある。したがって、構造的安全性だけでなく、人の感覚を満足させるような、意匠的、材料的にも優れたものが望ましい。特に、特許文献１の笠木の表面は、目地を挟んで並列したＬ型タイルで構成されて外観に優れる。
【特許文献１】特開平１１−３０３３４４号公報
【発明の開示】
【発明が解決しようとする課題】
【０００３】
ところが、特許文献１に記載のような笠木は、普段から日射や雨水にさらされた状態となっているため、タイルの表面や目地が傷んでしまう場合があった。特に笠木の上面は、外観の見映えだけでなく人が腕等を乗せ掛ける場合がある。そこで、手摺壁付近の外観性を考慮しつつ、手摺壁の上端に、例えばアルミやステンレス等のように、天候等に対する耐久性に優れる金属材料等からなる手摺用笠木を設けたいという要望があった。
【０００４】
本発明の課題は、外観性に優れ、かつ天候等に対する耐久性の向上が可能な手摺用笠木を提供することを目的とする。
【課題を解決するための手段】
【０００５】
請求項１に記載の発明は、手摺用笠木１０（１０Ａ）であり、例えば図１および図２に示すように、少なくとも屋外側表面に外壁材２（２Ａ）が取り付けられた手摺壁１（１Ａ）の上端に、この手摺壁１（１Ａ）の上端を覆うようにして金属製の笠木本体１１（１１Ａ）が設けられており、
この笠木本体１１（１１Ａ）の屋外側端部に、表面が前記外壁材２（２Ａ）の表面と略面一となる補助外壁材３（３Ａ）が取り付けられていることを特徴とする。
【０００６】
請求項１に記載の発明によれば、少なくとも屋外側表面に外壁材２（２Ａ）が取り付けられた手摺壁１（１Ａ）の上端に、この手摺壁１（１Ａ）の上端を覆うようにして金属製の笠木本体１１（１１Ａ）が設けられているので、この笠木本体１１（１１Ａ）によって日射や雨水等で傷むのを効果的に防ぐことができ、従来に比して、天候等に対する耐久性を向上させることができる。
さらに、前記笠木本体１１（１１Ａ）の屋外側端部に、表面が前記外壁材２（２Ａ）の表面と略面一となる補助外壁材３（３Ａ）が取り付けられているので、外壁材２（２Ａ）および補助外壁材３（３Ａ）の外観の統一感に優れ、隣家や外部からの視線に入るような部分の外観性を向上させることができる。
【０００７】
請求項２に記載の発明は、例えば図１および図２に示すように、請求項１に記載の手摺用笠木１０（１０Ａ）において、
前記外壁材２（２Ａ）および補助外壁材３（３Ａ）は、同一材料からなることを特徴とする。
【０００８】
請求項２に記載の発明によれば、前記外壁材２（２Ａ）および補助外壁材３（３Ａ）の外観の統一感に優れ、外観性をより向上させることができる。
【０００９】
請求項３に記載の発明は、例えば図１および図２に示すように、請求項１または２に記載の手摺用笠木１０（１０Ａ）において、
前記笠木本体１１（１１Ａ）は、この笠木本体１１（１１Ａ）の屋外側端部に設けられ、この笠木本体１１（１１Ａ）の上面に沿って屋外側に延出する延出部１２（１２Ａ）を備えており、この延出部１２（１２Ａ）の下面に、前記補助外壁材３（３Ａ）の上面が当接固定されていることを特徴とする。
【００１０】
請求項３に記載の発明によれば、前記笠木本体１１（１１Ａ）は、この笠木本体１１（１１Ａ）の屋外側端部に設けられ、この笠木本体１１（１１Ａ）の上面に沿って屋外側に延出する延出部１２（１２Ａ）を備えており、この延出部１２（１２Ａ）の下面に、前記補助外壁材３（３Ａ）の上面が当接固定されているので、前記延出部１２（１２Ａ）によって前記補助外壁材３（３Ａ）の上面が日射や雨水等で傷むのを効果的に防ぐことができ、従来に比して、天候等に対する耐久性をより向上させることができる。
さらに、この延出部１２（１２Ａ）によって前記補助外壁材３（３Ａ）の上面に直接雨水が当たらないので、補助外壁材３（３Ａ）の裏側から手摺壁１（１Ａ）と外壁材２（２Ａ）との間の隙間などに雨水が浸入するのを確実に防ぐことができる。
また、前記補助外壁材３（３Ａ）を、予め前記笠木本体１１（１１Ａ）の延出部１２（１２Ａ）の下面に取り付けておくことができるので、施工前に十分な防水処理を確実に施すことができるとともに、現場の施工性を向上させることができる。
【００１１】
請求項４に記載の発明は、例えば図１および図２に示すように、請求項１〜３のいずれか一項に記載の手摺用笠木１０（１０Ａ）において、
前記笠木本体１１（１１Ａ）は、この笠木本体１１（１１Ａ）の屋外側端部に設けられ、前記手摺壁１（１Ａ）の屋外側表面に沿って垂下する垂直板部１３（１５ｂ）を備えており、この垂直板部１３（１５ｂ）の屋外側表面に、前記補助外壁材３（３Ａ）の屋内側表面が当接固定されていることを特徴とする。
【００１２】
請求項４に記載の発明によれば、前記笠木本体１１（１１Ａ）は、この笠木本体１１（１１Ａ）の屋外側端部に設けられ、前記手摺壁１（１Ａ）の屋外側表面に沿って垂下する垂直板部１３（１５ｂ）を備えており、この垂直板部１３（１５ｂ）の屋外側表面に、前記補助外壁材３（３Ａ）の屋内側表面が当接固定されているので、前記補助外壁材３（３Ａ）の裏側から手摺壁１（１Ａ）と外壁材２（２Ａ）との間の隙間などに雨水が浸入するのをより確実に防ぐことができる。
また、前記補助外壁材３（３Ａ）を、予め笠木本体１１（１１Ａ）の垂直板部１３（１５ｂ）の屋外側表面に取り付けておくことができるので、施工前に十分な防水処理をより確実に施すことができるとともに、現場の施工性をより向上させることができる。
【００１３】
請求項５に記載の発明は、例えば図２に示すように、請求項１〜４のいずれか一項に記載の手摺用笠木１０Ａにおいて、
前記笠木本体１１Ａは、前記手摺壁１Ａの上端に取り付けられる第１笠木部材１４と、この第１笠木部材１４の屋外側端部に接続され、前記補助外壁材３Ａが取り付けられた第２笠木部材１５と、これら第１笠木部材１４と第２笠木部材１５とを接続する接続手段とを備えており、
この接続手段は、前記第１笠木部材１４に形成され、屋外側に向かって開口する被差込部１４ａと、前記第２笠木部材１５に形成され、前記被差込部１４ａに差し込まれる差込部１５ａとを備えており、
前記第１笠木部材１４および第２笠木部材１５は、前記差込部１４ａと被差込部１５ａとの差込深さに応じて、これら差込部１４ａおよび被差込部１５ａの差込方向に沿って互いに位置調整可能となっていることを特徴とする。
【００１４】
請求項５に記載の発明によれば、前記第１笠木部材１４および第２笠木部材１５は、前記差込部１４ａと被差込部１５ａとの差込深さに応じて、これら差込部１４ａおよび被差込部１５ａの差込方向に沿って互いに位置調整可能となっているので、前記差込部１４ａの差込深さを調節して外壁材２（２Ａ）と補助外壁材３（３Ａ）とが面一となるように第２笠木部材１５の位置を調節しながら、この第２笠木部材１５の位置に合わせて前記第１笠木部材１４の位置を調節することができる。これによって、手摺壁１（１Ａ）付近の外観性をさらに向上させることができる。
また、例えば手摺壁１（１Ａ）の屋外側表面や屋内側表面に膨らみや凹み等の誤差が生じている場合であっても、前記差込部１４ａと被差込部１５ａとの差込深さを調節することで、第１笠木部材１４と第２笠木部材１５とを誤差に合わせて位置調整できるので、膨らみや凹み等の誤差を確実に吸収することができる。
【発明の効果】
【００１５】
本発明によれば、少なくとも屋外側表面に外壁材が取り付けられた手摺壁の上端に、この手摺壁の上端を覆うようにして金属製の笠木本体が設けられているので、この笠木本体によって日射や雨水等で傷むのを効果的に防ぐことができ、従来に比して、天候等に対する耐久性を向上させることができる。
さらに、笠木本体の屋外側端部に、表面が外壁材の表面と略面一となる補助外壁材が取り付けられているので、外壁材および補助外壁材の外観の統一感に優れ、隣家や外部からの視線に入るような部分の外観性を向上させることができる。
【発明を実施するための最良の形態】
【００１６】
以下、図面を参照して本発明の実施の形態について説明する。
【００１７】
（第１の実施の形態）
本実施の形態の手摺用笠木１０は、図１に示すように、少なくとも屋外側表面に外壁材２が取り付けられた手摺壁１の上端に、この手摺壁１の上端を覆うようにして金属製の笠木本体１１が設けられており、この笠木本体１１の屋外側端部に、表面が前記外壁材２の表面と略面一となる補助外壁材３が取り付けられている。
【００１８】
前記手摺壁１は、例えばバルコニー等に立設されるものであり、本実施の形態においては壁パネルからなる。この壁パネルとは、縦横の框材が矩形状に組み立てられるとともに、矩形枠の内部に補助棧材が縦横に組み付けられて枠体が構成され、この枠体の両面に、面材が貼設されたものである。
また、この手摺壁１の表面には、上述したように前記外壁材２が取り付けられている。本実施の形態において外壁材２は、屋外側表面だけでなく、屋内側表面にも取り付けられている。
【００１９】
また、この外壁材２は、前記手摺壁１の屋外側表面および屋内側表面に貼り付けられる外壁下地材２ａと、この外壁下地材２ａの表面に等間隔に並べて貼り付けられた複数のタイル２ｂとからなり、これら複数のタイル２ｂにおいて隣り合うタイル２ｂ間の隙間には、この隙間を埋める目地材２ｃが充填されている。
【００２０】
前記笠木本体１１は、上述のように金属からなるものである。金属としては、例えばアルミ等のように強度に優れ、軽量であり、低温特性、耐久性、耐食性等の特性を有するものが用いられる。また、このアルミの表面には、耐久性、耐食性等のアルミの特性を生じさせる酸化皮膜が形成されているが、この酸化皮膜を人工的に厚くして陽極酸化皮膜を形成するようにしても良い。
なお、笠木本体１１を形成するにあたっては、アルミの他にも、例えばステンレス等のように耐久性や耐食性の特に高い金属等を用いることができる。
【００２１】
そして、このような金属製の笠木本体１１は、手摺壁１の長さ方向に沿って長尺となるように押出成形してなり、前記手摺壁１の上面を広範囲にわたって覆う上面部１１ａと、この上面部１１ａと一体形成され、上面部１１ａの屋内側端部付近から下方に垂下する側面部１１ｂとを備えている。
【００２２】
また、前記上面部１１ａは、屋外側端部から屋内側端部に向かうにつれて下がっていくように傾斜している。一方、前記側面部１１ｂには、この側面部１１ｂの裏面と、前記手摺壁１の屋内側表面に取り付けられた外壁材２の表面との間に、笠木本体１１の内側への浸水を防ぐ防水材１１ｃが設けられている。
【００２３】
さらに、前記上面部１１ａおよび側面部１１ｂの裏面には、長さ方向に沿って互いに隣接する笠木本体１１同士を連結するための連結部材１１ｄが設けられている。つまり、この連結部材１１ｄを、隣接する笠木本体１１同士の境目に、上面部１１ａおよび側面部１１ｂの裏面から架け渡すようにして設けることで、隣接する笠木本体１１同士を連結できる。
【００２４】
そして、この笠木本体１１は、この笠木本体１１の屋外側端部に設けられ、この上面部１１ａに沿って屋外側に延出する延出部１２と、前記手摺壁１の屋外側表面に沿って垂下する垂直板部１３とを備えている。さらに、これら延出部１２の下面および垂直板部１３の屋外側表面には、前記補助外壁材３が当接固定された状態となっている。
【００２５】
これにより、前記延出部１２によって前記補助外壁材３の上面が日射や雨水等で傷むのを効果的に防ぐことができ、従来に比して、天候等に対する耐久性を向上させることができる。さらに、この延出部１２によって前記補助外壁材３の上面に直接雨水が当たらないので、補助外壁材３の裏側から手摺壁１と外壁材２との間の隙間などに雨水が浸入するのを確実に防ぐことができる。また、前記補助外壁材３を、予め工場等で、前記笠木本体１１の延出部１２の下面に取り付けておくことができるので、施工前に十分な防水処理を確実に施すことができるとともに、現場の施工性を向上させることができる。
しかも、前記笠木本体１１は延出部１２だけでなく前記垂直板部１３を備えているので、前記補助外壁材３の裏側から手摺壁１と外壁材２との間の隙間などに雨水が浸入するのをより確実に防ぐことができる。また、前記補助外壁材３を、予め工場等で、笠木本体１１の垂直板部１３の屋外側表面に取り付けておくことができるので、施工前に十分な防水処理をより確実に施すことができるとともに、現場の施工性をより向上させることができる。
【００２６】
前記補助外壁材３は、上述のように前記笠木本体１１の延出部１２の下面および垂直板部１３の屋外側表面に当接固定されるものであり、前記手摺壁１の屋外側表面および屋内側表面に取り付けられた前記外壁材２と同一材料からなる。
すなわち、このように前記外壁材２および補助外壁材３が、同一材料からなることによって、前記外壁材２および補助外壁材３の外観の統一感に優れ、外観性を向上させることが可能となっている。
【００２７】
なお、前記補助外壁材３と外壁材２との間に形成される隙間にも、前記複数のタイル２ｂ間に充填されたものと同様に、隙間を埋める目地材２ｃが充填されている。
【００２８】
本実施の形態によれば、少なくとも屋外側表面に外壁材２が取り付けられた手摺壁１の上端に、この手摺壁１の上端を覆うようにして金属製の笠木本体１１が設けられているので、この笠木本体１１によって日射や雨水等で傷むのを効果的に防ぐことができ、従来に比して、天候等に対する耐久性を向上させることができる。
さらに、前記笠木本体１１の屋外側端部に、表面が前記外壁材２の表面と略面一となる補助外壁材３が取り付けられているので、外壁材２および補助外壁材３の外観の統一感に優れ、隣家や外部からの視線に入るような部分の外観性を向上させることができる。
【００２９】
（第２の実施の形態）
次に、図面を参照して本発明の第２の実施の形態について説明する。なお、説明の便宜上、上述した第１の実施の形態とは異なる構成部分のみについて説明する。
【００３０】
本実施の形態の手摺用笠木１０Ａは、図２に示すように、少なくとも屋外側表面に外壁材２Ａが取り付けられた手摺壁１Ａの上端に、この手摺壁１Ａの上端を覆うようにして金属製の笠木本体１１Ａが設けられており、この笠木本体１１Ａの屋外側端部に、表面が前記外壁材２Ａの表面と略面一となる補助外壁材３Ａ２Ａが取り付けられている。
そして、前記笠木本体１１Ａは、前記手摺壁１Ａの上端に取り付けられる第１笠木部材１４と、この第１笠木部材１４の屋外側端部に接続され、前記補助外壁材３Ａ２Ａが取り付けられた第２笠木部材１５と、これら第１笠木部材１４と第２笠木部材１５とを接続する接続手段とを備えている。
【００３１】
また、前記接続手段は、前記第１笠木部材１４に形成され、屋外側に向かって開口する被差込部１４ａと、前記第２笠木部材１５に形成され、前記被差込部１４ａに差し込まれる差込部１５ａとを備えており、前記第１笠木部材１４および第２笠木部材１５は、前記差込部１５ａと被差込部１４ａとの差込深さに応じて、これら差込部１５ａおよび被差込部１４ａの差込方向に沿って互いに位置調整可能となっている。
【００３２】
前記第１笠木部材１４は、アルミ等の金属を手摺壁１Ａの長さ方向に沿って長尺となるように押出成形してなり、前記手摺壁１Ａの上面を広範囲にわたって覆う上面部１４ｂと、この上面部１４ｂと一体形成され、上面部１４ｂの屋内側端部から下方に垂下する側面部１４ｃと、前記上面部１４ｂの屋外側端部に形成され、屋外側に向かって開口する被差込部１４ａとを備えている。
【００３３】
なお、前記側面部１４ｃには、この側面部１４ｃの裏面と、前記手摺壁１Ａの屋内側表面に取り付けられた外壁材２Ａの表面との間に、笠木本体１１Ａの内側への浸水を防ぐ防水材１４ｄが設けられている。この防水材１４ｄは、防水性の高い材料であるだけでなく、弾力性を有する材料であることが好ましい。すなわち、弾力性を有することによって、前記第１笠木部材１４および第２笠木部材１５の、差込部１５ａと被差込部１４ａとの差込方向に沿った移動に対応することができる。
【００３４】
前記第２笠木部材１５は、前記第１笠木部材１４と同じくアルミ等の金属を押出成形してなり、第１笠木部材１４の長さ方向に沿って長尺に形成されている。
そして、この第２笠木部材１５は、前記外壁材２Ａの表面に沿って垂下する垂直板部１５ｂと、この垂直板部１５ｂと一体形成され、前記第１笠木部材１４の上面を覆う上面板部１５ｃと、前記被差込部１４ａに差し込まれる前記差込部１５ａとを備えている。この差込部１５ａは、前記垂直板部１５ｂの裏面から屋内側に向かって突出するようにして設けられている。
【００３５】
また、この上面板部１５ｃと前記第１笠木部材１４の上面部１４ｂとの間には補助防水材１５ｄが設けられており、これら第２笠木部材１５と第１笠木部材１４との間から雨水が浸入するのを防ぐことができ、前記手摺壁１Ａ付近の防水性を向上できるようになっている。
【００３６】
なお、本実施の形態の笠木本体１１Ａには、前記補助外壁材３Ａ２Ａの上面が当接固定される延出部１２Ａが、前記第２笠木部材１５の上面板部１５ｃに沿って屋外側に延出するようにして設けられており、さらに、前記第２笠木部材１５の垂直板部１５ｂの屋外側表面に、前記補助外壁材３Ａ２Ａの屋内側表面が当接固定されている。
【００３７】
前記接続手段は、上述したように屋外側に向かって開口する被差込部１４ａと、この被差込部１４ａに差し込まれる差込部１５ａとを備えており、これによって、前記第１笠木部材１４および第２笠木部材１５は、前記差込部１５ａと被差込部１４ａとの差込深さに応じて、これら差込部１５ａおよび被差込部１４ａの差込方向に沿って互いに位置調整可能となっている。
【００３８】
ここで、前記第１笠木部材１４と第２笠木部材１５との位置調整方法としては、前記補助外壁材３Ａ２Ａの表面を、前記外壁材２Ａの表面と略面一となるようにして、前記第２笠木部材１５が設けられるので、前記第１笠木部材１４を、前記差込部１５ａおよび被差込部１４ａの差込方向に沿って、第２笠木部材１５に対して接近または離間させるようにする。
【００３９】
このような位置調整方法は、例えば手摺壁１Ａの屋内側表面に膨らみや凹み等の誤差が生じている場合に対応することができる。つまり、以上のように前記差込部１５ａと被差込部１４ａとの差込深さを調節することで、第１笠木部材１４を誤差に合わせて位置調整できるので、手摺壁１Ａの屋内側表面に生じる膨らみや凹み等の誤差を吸収できるようになっている。
【００４０】
本実施の形態によれば、第１の実施の形態と同じ効果を得ることができるとともに、前記第１笠木部材１４および第２笠木部材１５は、前記差込部１５ａと被差込部１４ａとの差込深さに応じて、これら差込部１５ａおよび被差込部１４ａの差込方向に沿って互いに位置調整可能となっているので、前記差込部１５ａの差込深さを調節して外壁材２Ａと補助外壁材３Ａ２Ａとが面一となるように第２笠木部材１５の位置を調節しながら、この第２笠木部材１５の位置に合わせて前記第１笠木部材１４の位置を調節することができる。これによって、手摺壁１Ａ付近の外観性をさらに向上させることができる。
また、例えば手摺壁１Ａの屋外側表面や屋内側表面に膨らみや凹み等の誤差が生じている場合であっても、前記差込部１５ａと被差込部１４ａとの差込深さを調節することで、第１笠木部材１４と第２笠木部材１５とを誤差に合わせて位置調整できるので、膨らみや凹み等の誤差を確実に吸収することができる。
【図面の簡単な説明】
【００４１】
【図１】本発明の第１の実施の形態に係る手摺用笠木を示す側断面図である。
【図２】本発明の第２の実施の形態に係る手摺用笠木を示す側断面図である。
【符号の説明】
【００４２】
１  手摺壁
２  外壁材
３  補助外壁材
１０  手摺用笠木
１１  笠木本体
【図１】
2008231668.tif 000003
【図２】
2008231668.tif 000004